(57)【要約】【課題】スライド式の筐体が落下等により衝撃を受けても、その衝撃から表示機構を保護する。【解決手段】スライド式の筐体における上部装置（2）において、スクリーン（6）と下部装置（3）に対向するリアケース（12）との間に設けられる二枚のガラス板を含み表示機構の画面エリア（10,11）に対応する二枚ガラス部（7）と、二枚ガラス部の一方のガラス板から伸長した部分であって表示機構のドライバ（9）が搭載される一枚ガラス部（8）と、二枚ガラス部およびスクリーン間に配置され該スクリーンおよびドライバ間に空隙を形成するクッション部（5）と、二枚ガラス部を介してクッション部と対称に配置されリアケースから下部装置に向けて突出する突起部（14）とを備える。【選択図】図６
2010164615.tif 000002
【特許請求の範囲】
【請求項１】
表示機構を含む上部装置と操作機構を含む下部装置とを有するスライド式の筐体における前記上部装置の構造であって、
スクリーンと前記下部装置に対向するリアケースとの間に設けられる二枚のガラス板を含み前記表示機構の画面エリアに対応する二枚ガラス部と、
前記二枚ガラス部の一方のガラス板から伸長した部分であって前記表示機構のドライバが搭載される一枚ガラス部と、
前記二枚ガラス部および前記スクリーン間に配置され該スクリーンおよび前記ドライバ間に空隙を形成するクッション部と、
前記二枚ガラス部を介して前記クッション部と対称に配置され前記リアケースから前記下部装置に向けて突出する突起部とを備えることを特徴とする構造。
【請求項２】
前記クッション部は、前記表示機構の画面エリアにおける枠型の非表示エリアに沿った形状を成すことを特徴とする請求項１記載の構造。
【請求項３】
前記クッション部は、前記表示機構の非表示エリアのうちの前記ドライバに最も近い部分を含む領域に配置されることを特徴とする請求項１又は２記載の構造。
【請求項４】
前記突起部は、前記筐体の閉状態において前記下部装置の操作機構に対向することを特徴とする請求項１乃至３のいずれか１項に記載の構造。
【請求項５】
表示機構を含む上部装置と操作機構を含む下部装置とを備えるスライド式の携帯端末であって、
前記上部装置は、
スクリーンと前記下部装置に対向するリアケースとの間に設けられる二枚のガラス板を含み前記表示機構の画面エリアに対応する二枚ガラス部と、
前記二枚ガラス部の一方のガラス板から伸長した部分であって前記表示機構のドライバが搭載される一枚ガラス部と、
前記二枚ガラス部および前記スクリーン間に配置され該スクリーンおよび前記ドライバ間に空隙を形成するクッション部と、
前記二枚ガラス部を介して前記クッション部と対称に配置され前記リアケースから前記下部装置に向けて突出する突起部とを含むことを特徴とする携帯端末。
【請求項６】
前記クッション部は、前記表示機構の画面エリアにおける枠型の非表示エリアに沿った形状を成すことを特徴とする請求項５記載の携帯端末。
【請求項７】
前記クッション部は、前記表示機構の非表示エリアのうちの前記ドライバに最も近い部分を含む領域に配置されることを特徴とする請求項５又は６記載の携帯端末。
【請求項８】
前記突起部は、前記筐体の閉状態において前記下部装置の操作機構に対向することを特徴とする請求項５乃至７のいずれか１項に記載の携帯端末。
【発明の詳細な説明】
【技術分野】
【０００１】
本発明は、スライド操作により開閉するスライド式の筐体の構造に関する。
【背景技術】
【０００２】
携帯端末の筐体デザインの一種にスライド式がある。スライド式の携帯端末は、液晶ディスプレイ（以下、「ＬＣＤ」と記す。）や、その駆動回路であるドライバを含む表示機構が設けられる上部装置と、キーボタン等の操作機構が設けられる下部装置とが、スライド操作により開閉する。スライド式の携帯端末に関する技術は、例えば、後述の特許文献１に記載されている。
【０００３】
一方、携帯端末の小型化や高機能化に伴い、表示機構の薄型化が進んでいる。そのため、落下時などに発生する衝撃から表示機構を保護する仕組みが求められる。その衝撃対策として、例えば、後述の特許文献２には、液晶パネルのガラス基板を保護するための技術が記載されている。
【先行技術文献】
【特許文献】
【０００４】
【特許文献１】特開２００７−２９５１１５号公報
【特許文献２】特開２０００−２５８７５７号公報
【発明の概要】
【発明が解決しようとする課題】
【０００５】
前述したスライド式の携帯端末にとって、特許文献２の技術のようにＬＣＤの画面エリアを保護することは重要であるが、そのほかに、ＬＣＤのドライバをいかに保護するかも重要である。なぜなら、例えば、落下等により下部装置から上部装置のドライバに対し衝撃が伝わると、ドライバの表示制御に支障が生じ、画面にムラや輝点等の表示異常が発生する可能性があるからである。
【０００６】
そこで、本発明の目的は、スライド式の筐体が落下等により衝撃を受けても、その衝撃から表示機構を保護するための構造を提供することにある。
【課題を解決するための手段】
【０００７】
本発明に係る構造は、表示機構を含む上部装置と操作機構を含む下部装置とを有するスライド式の筐体における前記上部装置の構造であって、スクリーンと前記下部装置に対向するリアケースとの間に設けられる二枚のガラス板を含み前記表示機構の画面エリアに対応する二枚ガラス部と、前記二枚ガラス部の一方のガラス板から伸長した部分であって前記表示機構のドライバが搭載される一枚ガラス部と、前記二枚ガラス部および前記スクリーン間に配置され該スクリーンおよび前記ドライバ間に空隙を形成するクッション部と、前記二枚ガラス部を介して前記クッション部と対称に配置され前記リアケースから前記下部装置に向けて突出する突起部とを備える。
【０００８】
本発明に係る携帯端末は、表示機構を含む上部装置と操作機構を含む下部装置とを備えるスライド式の携帯端末であって、前記上部装置は、スクリーンと前記下部装置に対向するリアケースとの間に設けられる二枚のガラス板を含み前記表示機構の画面エリアに対応する二枚ガラス部と、前記二枚ガラス部の一方のガラス板から伸長した部分であって前記表示機構のドライバが搭載される一枚ガラス部と、前記二枚ガラス部および前記スクリーン間に配置され該スクリーンおよび前記ドライバ間に空隙を形成するクッション部と、前記二枚ガラス部を介して前記クッション部と対称に配置され前記リアケースから前記下部装置に向けて突出する突起部とを含む。
【発明の効果】
【０００９】
本発明によれば、スライド式の筐体が落下等により衝撃を受けても、その衝撃から表示機構を保護することができる。
【図面の簡単な説明】
【００１０】
【図１】本発明の実施形態における携帯端末の外観図である。
【図２】本発明の実施形態における上部装置に関する説明図である。
【図３】本発明の実施形態における上部装置のスクリーンエリア（ａ）及びクッション配置（ｂ）に関する説明図である。
【図４】本発明の実施形態における上部装置の裏面（ａ）及び下部装置の正面（ｂ）に関する構成図である。
【図５】本発明の実施形態における携帯端末のＡ−Ａ´断面図である。
【図６】本発明の実施形態における携帯端末のａ部に関する構成図である。
【図７】本発明の実施形態における携帯端末の上部装置のｂ部に関する構成図である。
【発明を実施するための形態】
【００１１】
図１に、本発明の実施形態における携帯端末1の外観を示す。本実施形態の携帯端末1は、スライド操作により開閉されるスライド式の携帯電話機であり、上部装置2及び下部装置3から構成される。図１（ａ）は携帯端末1の閉状態を表し、同図（ｂ）は開状態を表す。
【００１２】
図２に、上部装置2の部分的な構成を示す。上部装置2には、ＬＣＤや後述のドライバ（9）を含む表示機構4が設けられている。表示機構4は、ウレタンなどのクッション材で形成された枠型のクッション5を介して、スクリーン6により覆われている。本実施形態におけるクッション5の目的は、表示機構4に対する防塵のほか、後述するように、落下時等における衝撃吸収の役割を担う。
【００１３】
図３に、上部装置2の画面エリア（ａ）およびクッション5の配置（ｂ）を示す。表示機構4の画面には、矩形の表示エリア10と、この表示エリア10を枠型に囲む非表示エリア11とが設けられている。非表示エリア11の近傍には、ＬＣＤの駆動回路であるドライバ9が内蔵されている。前述のクッション5は、同図（ｂ）に示すように、枠型の非表示エリア11に沿って設けられている。
【００１４】
図４に、上部装置2の裏面（ａ）および下部装置3の正面（ｂ）の構成を示す。下部装置3の正面には、操作機構15が設けられている。端末の閉状態（図１（ａ））では、この下部装置3の正面が、図４（ａ）に示す上部装置2の裏面と全体的に対向する。上部装置2の裏面には、リアケース12や、他方の下部装置3に対しスライド可能に接続するための接続ＦＰＣ（フレキシブル・プリント基板）13のほか、凸状の突起部14が設けられている。突起部14は、金属や樹脂など、任意の部材により形成することができる。本実施形態の突起部14は、後述の理由から、図示の位置にて接続ＦＰＣ13に貼り付けられている。
【００１５】
図５に、携帯端末1の長手方向に沿ったＡ−Ａ´断面を示す。この断面は、携帯端末1の閉状態、すなわち、図４により説明した上部装置2の裏面と下部装置3の正面とが全体的に対向する状態での断面である。かかる断面に関し、図６に、突起部（14）付近のａ部を拡大したものを示す。
【００１６】
図６より、上部装置2の表示エリア10および非表示エリア11は、内部フレーム16上に形成されている後述の二枚ガラス部7にある。ドライバ9は、この二枚ガラス部7における１枚のガラスが伸長した部分である一枚ガラス部8上に配置されている。二枚ガラス部7の非表示エリア11とスクリーン6との間には、前述のクッション5が介在する。
【００１７】
ここで、スクリーン6から内部フレーム16までの層に相当するｂ部の構成を、図７に模式的に示す。二枚ガラス部7には、上偏光板21a及び下偏光板21bと、これらに挟まれた上ガラス板22a及び下ガラス板22bとがある。一枚ガラス部8は、二枚ガラス部7における下ガラス板22bの伸長部分である。この一枚ガラス部8上にドライバ9が配置される。ドライバ9を一枚ガラス部8に配置する主な理由は、ドライバ9を、上ガラス板22aと下ガラス板22bとの間から伸びる配線（図示略）に接続するためである。
【００１８】
一方、スクリーン6と二枚ガラス部7の非表示エリア11との間には、クッション5が介在する。このクッション5の厚みにより、ドライバ9の上部とスクリーン6との間に空間が形成される。また、一枚ガラス部8と内部フレーム16との間にも空間がある。このように、本実施形態の構造では、ドライバ9が搭載される一枚ガラス部8の上下に空間が形成されている。
【００１９】
図６の断面図に戻る。上部装置2において、ｂ部が形成されている内部基板17は、リアケース12によりカバーされる。リアケース12には、前述した接続ＦＰＣ13（図４）が接続されている。そして、この接続ＦＰＣ13に、突起部14が貼り付けられている。
【００２０】
突起部14は、図６に示すように、二枚ガラス部7の非表示エリア11を介してクッション5と対称に配置される。すなわち、突起部14は、クッション5から二枚ガラス部7を通る延長線上に設けられている。また、突起部14は、下部装置3の何れかのキーボタン15aと対向する。
【００２１】
《作用》
上記のように構成された携帯端末1が、閉状態において、落下等により下部装置3に衝撃を受けたとする。この衝撃により下部装置3がたわむと、下部装置3が、対向の上部装置2とぶつかり合う。このとき、接触する可能性が最も高い箇所は、上部装置2から突出している突起部14と、これに対向する下部装置3のキーボタン15aとの間である。
【００２２】
図６を参照して説明したように、突起部14から上方への延長線上には、クッション5がある。よって、突起部14がキーボタン15aから受けた衝撃は、上方のクッション5により吸収される。これにより、衝撃がドライバ9に直接伝わることを回避できる。
【００２３】
また、突起部14からの延長線上にある二枚ガラス部7は、非表示エリア11であるから、衝撃が表示エリア10に直接影響することを回避できる。そして、図３に示すように、クッション5が非表示エリア11に沿った枠型に形成されていることから、それに囲まれた表示エリア（10）を全面的に保護することができる。
【００２４】
一方で、ドライバ9が搭載された一枚ガラス部8の上下には空間がある。よって、上記の衝撃により上部装置2自体がたわんでも、ドライバ9が周辺の部品と接触することを回避することができる。特に、クッション5をドライバ9の近傍に配置するほど、ドライバ9がスクリーン6へ接触することを防止できる。
【００２５】
このように、本実施形態によれば、上部装置2に対する下部装置3からの衝撃を、上記の位置に配置された突起部14が積極的に受けるよう構成される。したがって、携帯端末1が落下等により衝撃を受けても、その衝撃から表示機構4を保護することができる。これにより、画面の不具合が発生することを防止できる。
【００２６】
特に、ドライバ9は、二枚ガラス部7よりも強度が低い一枚ガラス部8に配置されるので、衝撃による影響を受けやすいが、上記構成によれば、その衝撃からドライバ9を適切に保護することができる。
【００２７】
なお、本発明は、上記実施形態に限定されるものではなく、例えば下記のように、特許請求の範囲内において種々の変更が可能である。
【００２８】
クッション5及び突起部14の位置は、二枚ガラス部7の非表示エリア11を介して両者を対称に配置できれば、上記実施形態の位置に限定されない。例えば、突起部14は、接続ＦＰＣ13に貼り付けることに替えて、リアケース12に貼り付ける、あるいは、リアケース12自体に突起部14を形成してもよい。より具体的には、上部装置2のリアケース12が図４（ａ）のデザインである場合に、図示の突起部14の向きを縦方向にし、それを現在地の左右あるいは何れか一方のリアケース12上に形成あるいは貼り付ける。また、突起部14を図示の位置にてリアケース12に貼る場合は、接続ＦＰＣ13の配置を変更すればよい。
【００２９】
さらにまた、クッション5及び突起部14の形状も、上記実施形態に示すものに限らず、例えば、互いに共通の形状であってもよい。さらにまた、両者は、それぞれ一ヶ所に限らず、複数箇所に分散して設けるようにしてもよい。
【００３０】
本発明に係る携帯端末は、上記実施形態のような携帯電話機に限らず、スライド式の筐体を持つものであれば、他の通信機器であってもよい。
【符号の説明】
【００３１】
1：携帯端末、2：上部装置、3：下部装置
4：表示機構、5：クッション、6：スクリーン
7：二枚ガラス部、8：一枚ガラス部、9：ドライバ、10：表示エリア、11：非表示エリア、12：リアケース、13：接続ＦＰＣ、14：突起部、15：操作機構、15a：キーボタン、16：内部フレーム、17：内部基板
21a：上偏光板、21b：下偏光板、22a：上ガラス板、22b：下ガラス板
【図１】
2010164615.tif 000003
【図２】
2010164615.tif 000004
【図３】
2010164615.tif 000005
【図４】
2010164615.tif 000006
【図５】
2010164615.tif 000007
【図６】
2010164615.tif 000008
【図７】
2010164615.tif 000009